(57)【要約】【課題】通常の棚として利用可能であって、かつ、内部に液体を貯蔵可能な棚を提供する。【解決手段】棚１は、内部に第１空間部１１を有する棚板部１０と、第１空間部１１と連通する第２空間部２１を有する柱部２０とを備えた棚であって、第１空間部１１及び第２空間部２１は、水密空間として構成されている。この構成により、通常の棚として利用することが可能であり、かつ、内部には、例えば水等の液体を貯蔵可能であり、断水時の生活用水として利用することができる。【選択図】図１
2020130602.tif 000002
【特許請求の範囲】
【請求項１】
内部に第１空間部を有する棚板部と、
前記第１空間部と連通する第２空間部を有する柱部と、
を備えた棚であって、
前記第１空間部及び前記第２空間部は、水密空間として構成されている棚。
【請求項２】
請求項１に記載の棚において、
前記第１空間部と前記第２空間部との少なくとも一方に外部からの連通を可能とする開閉可能な接続部を有すること、
を特徴とする棚。
【請求項３】
請求項２に記載の棚において、
前記接続部を介して当該棚が複数接続可能であり、
複数の当該棚が接続した状態において、前記第１空間部及び前記第２空間部は、全て水密空間として構成されること、
を特徴とする棚。
【請求項４】
請求項２又は請求項３に記載の棚において、
前記接続部の少なくとも一部は、外部から液体の注入と、外部への液体の排出との少なくとも一方を可能とすること、
を特徴とする棚。
【請求項５】
請求項１から請求項４までのいずれかに記載の棚において、
前記第１空間部及び前記第２空間部の少なくとも一方の内部に注入された液体の状態を検出するセンサを有すること、
を特徴とする棚。
【請求項６】
請求項１から請求項５までのいずれかに記載の棚において、
前記第１空間部及び前記第２空間部の少なくとも一方の内部に注入された液体の量を確認可能な液量表示部を有すること、
を特徴とする棚。
【請求項７】
請求項１から請求項６までのいずれかに記載の棚において、
前記棚板部及び前記柱部の内壁は、耐食性を有すること、
を特徴とする棚。
【請求項８】
請求項１から請求項７までのいずれかに記載の棚において、
前記第１空間部及び前記第２空間部と連通する第３空間部を有する壁部を有すること、
を特徴とする棚。
【請求項９】
請求項１から請求項８までのいずれかに記載の棚において、
内部に貯蔵されている水を利用した発電部を備えること、
を特徴とする棚。
【発明の詳細な説明】
【技術分野】
【０００１】
本発明は、水等の液体を貯蔵可能な棚に関するものである。
【背景技術】
【０００２】
防火用や防災用に水を貯水する場合には、例えば特許文献１のような貯水槽が用いられている。また、飲料水を貯蔵するためには、ペットボトル入りの飲料水等を倉庫等に保管することが行われている。
【０００３】
このような従来の貯水の形態では、専用の場所を確保する必要があることから、設置や保管が不可能な場合も多かった。また、大震災発生時等には、貯水槽の設置されている場所へのアクセスが可能である保証もなく、緊急で消火を行いたい場合に、役に立たないおそれもあった。
【先行技術文献】
【特許文献】
【０００４】
【特許文献１】特開２０１７−１７２２７号公報
【発明の概要】
【発明が解決しようとする課題】
【０００５】
本発明の課題は、通常の棚として利用可能であって、かつ、内部に液体を貯蔵可能な棚を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、内部に第１空間部（１１）を有する棚板部（１０）と、前記第１空間部（１１）と連通する第２空間部（２１）を有する柱部（２０）と、を備えた棚（１、１−２）であって、前記第１空間部（１１）及び前記第２空間部（２１）は、水密空間として構成されている棚（１、１−２）である。
【０００８】
第２の発明は、第１の発明に記載の棚（１、１−２）において、前記第１空間部（１１）と前記第２空間部（２１）との少なくとも一方に外部からの連通を可能とする開閉可能な接続部（３１、３２、３３）を有すること、を特徴とする棚（１、１−２）である。
【０００９】
第３の発明は、第２の発明に記載の棚（１、１−２）において、前記接続部（３１、３２、３３）を介して当該棚（１、１−２）が複数接続可能であり、複数の当該棚（１、１−２）が接続した状態において、前記第１空間部（１１）及び前記第２空間部（２１）は、全て水密空間として構成されること、を特徴とする棚（１、１−２）である。
【００１０】
第４の発明は、第２の発明又は第３の発明に記載の棚（１、１−２）において、前記接続部（３１、３２、３３）の少なくとも一部は、外部から液体の注入と、外部への液体の排出との少なくとも一方を可能とすること、を特徴とする棚（１、１−２）である。
【００１１】
第５の発明は、第１の発明から第４の発明までのいずれかに記載の棚（１、１−２）において、前記第１空間部（１１）及び前記第２空間部（２１）の少なくとも一方の内部に注入された液体の状態を検出するセンサ（１２、１３）を有すること、を特徴とする棚（１、１−２）である。
【００１２】
第６の発明は、第１の発明から第５の発明までのいずれかに記載の棚（１、１−２）において、前記第１空間部（１１）及び前記第２空間部（２１）の少なくとも一方の内部に注入された液体の量を確認可能な液量表示部（１４、２２）を有すること、を特徴とする棚（１、１−２）である。
【００１３】
第７の発明は、第１の発明から第６の発明までのいずれかに記載の棚（１、１−２）において、前記棚板部（１０）及び前記柱部（２０）の内壁は、耐食性を有すること、を特徴とする棚（１、１−２）である。
【００１４】
第８の発明は、第１の発明から第７の発明までのいずれかに記載の棚（１、１−２）において、前記第１空間部（１１）及び前記第２空間部（２１）と連通する第３空間部を有する壁部を有すること、を特徴とする棚（１、１−２）である。
【００１５】
第９の発明は、請求項１から請求項８までのいずれかに記載の棚（１，１−２）において、内部に貯蔵されている水を利用した発電部を備えること、を特徴とする棚（１，１−２）である。
【発明の効果】
【００１６】
本発明によれば、通常の棚として利用可能であって、かつ、内部に液体を貯蔵可能な棚を提供することができる。
【図面の簡単な説明】
【００１７】
【図１】本発明による棚１の実施形態を示す図である。
【図２】棚１を図１中の矢印Ａ−Ａの位置で切断した断面図である。
【図３】棚１を複数接続する形態を示す図である。
【図４】接手３７によって上接続部３１と下接続部３２とを接続した状態を示す断面図である。
【図５】第２実施形態の棚１−２を示す図である。
【発明を実施するための形態】
【００１８】
以下、本発明を実施するための最良の形態について図面等を参照して説明する。
【００１９】
（第１実施形態）
図１は、本発明による棚１の第１実施形態を示す図である。
図２は、棚１を図１中の矢印Ａ−Ａの位置で切断した断面図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００２０】
本実施形態の棚１は、棚板部１０と、柱部２０と、上接続部３１と、下接続部３２と、横接続部３３とを備えている。なお、本発明において、棚とは、物品を載置して保管等が行える棚板部を備えた、実質的に棚として用いることができる棚状の物品を指すものであり、ラック、ショーケース、キャビネット、シェルフ、ロッカー、飾り台等と称される同様な物品も含むものである。
【００２１】
棚板部１０は、全体の形状が略直方体形状に構成されており、その上面に様々な物品を載置可能な棚板としての機能を備えている。また、棚板部１０の内部には、空間（第１空間部１１）が形成されている。
図１及び図２に示す例では、棚板部１０は、同様な形態のものを上下２段設けている。
【００２２】
柱部２０は、全体の形状が管形状（本実施形態では、円管形状）に構成されている。本実施形態では、同一形状の柱部２０が４本設けられており、棚板部１０の４隅にそれぞれが貫通して配置されている。また、柱部２０の内部には、空間（第２空間部２１）が形成されている。柱部２０は、棚板部１０と繋がる位置に、連通孔２０ａが設けられている。
棚板部１０及び柱部２０は、例えば、アクリル樹脂により形成されており、それぞれは、接着剤によって接合されている。なお、棚板部１０及び柱部２０は、アクリル樹脂に限らず、各種強化プラスチック等、その他の樹脂素材により構成されていてもよいし、銅、鉄、ステンレススチール、アルミニウム等の金属材料により構成して、それぞれを溶接等により接合してもよい。
また、棚板部１０及び柱部２０は、接着や溶接による接合に限らず、従来から公知の水密性を担保できる他の接合方法によって接合されていてもよい。
さらに、棚板部１０及び柱部２０の内壁は、内部に貯蔵される液体に対する耐食性を備えることが望ましい。
【００２３】
ここで、第１空間部１１と第２空間部２１とは、連通孔２０ａを介して連通している。ここで、連通とは、連なって通じていることを意味しており、内部に流体が満たされていれば、その流体が流通できるように繋がっていることを意味している。これら第１空間部１１及び第２空間部２１は、水密空間として構成されている。ここで、水密とは、水のみを対象とするものではなく、圧力が加わった環境下において第１空間部１１及び第２空間部２１内に密閉した液体が外部に洩れないことを意味している。なお、ここでの水密を維持できる限界圧力は、棚１の使用環境に応じて適宜設定するとよい。
本実施形態では、第１空間部１１及び第２空間部２１には、水が満たされている。
【００２４】
上接続部３１は、柱部２０の上端に形成されている。
下接続部３２は、柱部２０の下端に形成されている。
横接続部３３は、棚板部１０の前後端のそれぞれに形成されている。
これら接続部（上接続部３１、下接続部３２、横接続部３３）は、第１空間部１１及び第２空間部２１に外部からの連通を可能とする。より具体的には、上接続部３１及び下接続部３２は、第２空間部２１に外部からの連通が可能であり、横接続部３３は、第１空間部１１に外部からの連通が可能である。また、上接続部３１と、下接続部３２と、横接続部３３とには、いずれも着脱して開閉可能な蓋３５が取り付けられている。また、本実施形態では、各接続部（上接続部３１、下接続部３２、横接続部３３）と蓋３５との嵌合部には、Ｏリング３６が設けられており、連結・連通させる際の漏れを防ぎ、気密性及び水密性を確保している。なお、本実施形態では、Ｏリングを例示したが、気密性及び水密性を確保する手段としては、従来公知の技術を適宜利用可能である。例えば、ゴムパッキン、シリコンパッキン、ガスケットパッキン、平ワッシャー、スプリングワッシャー等、自動車や機械系パーツの液体流動部分等に用いられる、漏れ止めや気密性に有効的な素材等を適宜利用可能である。
接続部（上接続部３１、下接続部３２、横接続部３３）には、必要に応じて図１に示した脚部３８、蛇口（不図示）等を設けることができる。
【００２５】
図３は、棚１を複数接続する形態を示す図である。
図４は、接手３７によって上接続部３１と下接続部３２とを接続した状態を示す断面図である。
各接続部（上接続部３１、下接続部３２、横接続部３３）は、例えば、接手３７を用いて複数の棚１を接続するために利用することもできる。
さらに、各接続部（上接続部３１、下接続部３２、横接続部３３）は、棚１以外の外部装置に接続するために利用してもよい。例えば、棚１は、各接続部（上接続部３１、下接続部３２、横接続部３３）を介して、外部の冷却装置に接続してもよいし、浄水装置に接続してもよいし、第１空間部１１及び第２空間部２１内に密閉した水を定期的かつ自動的に交換する水交換装置に接続してもよい。
【００２６】
また、本実施形態の棚１は、温度計１２、圧力計１３等のセンサと、液量確認窓（液量表示部）１４、２２等を備えている。
温度計１２は、第１空間部１１及び第２空間部２１内の温度（本実施形態では、内部に満たされた水の水温）を検出し、その温度を表示する温度センサである。
圧力計１３は、第１空間部１１及び第２空間部２１内の圧力（本実施形態では、内部に満たされた水の水圧）を検出し、その圧力を表示する温度センサである。
液量確認窓１４、２２は、それぞれ、棚板部１０、柱部２０に設けられ、内部に満たされた液体（水）の確認が可能な透明な窓である。液量確認窓１４、２２には、液量に相当する目盛りを設けてもよい。
【００２７】
本実施形態では、上述したように第１空間部１１及び第２空間部２１を設け、水密空間としてこれを形成したので、内部に水を満たして、これを貯蔵（貯水）することができる。よって、通常は棚として使うことができ、かつ、必要な時には、内部の水を利用することができる。水の利用用途は、必要に応じて適宜選択すればよい。例えば、災害時の消火用水として用いてもよいし、生活用水や、飲料水として用いてもよい。なお、飲料水として利用する場合には、定期的に内部の水を交換することが望ましく、また、煮沸したり、７０℃以上に加熱したりすることによって、さらに安全に飲用水として利用可能である。
【００２８】
また、本実施形態の棚１は、複数を接続することにより、大型の棚を構成することができる。これにより、貯水量を飛躍的に増大させることができる。よって、例えば、多くの在庫品を確保しなければならない配送所、完成品を保管する工場、図書館の様な資料施設等において、災害時には貴重となる水を大量に確保することができる。
さらに、本実施形態の棚１は、上記例に限らず、個人、個人商店、中小企業、大企業、保育園、幼稚園、小学校、中学校、高校、大学、高齢者施設、警察署、消防署、関係省庁等で普段使用する棚（ラック）として利用可能である。よって、災害時等には、これら様々な場所で水を確保でき、人々の延命に貢献できる。
【００２９】
さらにまた、接続部を介して外部の冷却装置に接続し、内部に貯蔵される水を循環させながら冷却する構成とすれば、貯水されている水の鮮度を保つことができる。また、内部に貯蔵される水が冷却されることにより、通常の利用時に、棚板部１０を冷却することができ、棚板部１０に置かれる各種物品を冷却することもできる。棚板部１０に置いて冷却する物品としては、どのようなものでもよいが、例えば、生鮮食料品を冷却するようにしてもよいし、サーバー等のコンピュータ機器を冷却するようにしてもよい。この際、温度計１２によって温度管理が容易になる。また、温度計１２からの出力を不図示の制御部に接続して、一定温度を保つように管理してもよい。
【００３０】
（第２実施形態）
図５は、第２実施形態の棚１−２を示す図である。
第２実施形態の棚１−２は、コンセント１５と、ＵＳＢ給電端子１６と、ライト１７と、ライトボタン１８とをさらに備え、かつ、内部に発電部を備えている点で、第１実施形態の棚１と異なっている。第２実施形態の棚１−２のその他の構成は、第１実施形態と同様なので、前述した第１実施形態と同様の機能を果たす部分には、同一の符号を付して、重複する説明を適宜省略する。
【００３１】
本実施形態の棚１−２は、内部に不図示の発電部を備えている。この発電部は、棚１−２が貯蔵している水を用いて発電を行う。より具体的には、発電部は、例えば、特開２０１５−０４６３１２号公報に開示されているマグネシウム電池と呼ばれている構成によって発電を行う。
棚１−２は、その内部に、上接続部３１から挿入されるマグネシウム棒（金属マグネシウム又はマグネシウム合金）を設置可能な構成を含む発電部を備えている。そして、発電が必要な場合には、マグネシウム棒を上接続部３１から挿入してセットし、さらに、上接続部３１から食塩を投入する。これにより、棚１−２の発電部は、マグネシウム棒を負極として発電を行う。
【００３２】
コンセント１５は、発電部が発電した電力を用いて、不図示のインバータを介してＡＣ１００Ｖの電力を出力する出力端子である。
【００３３】
ＵＳＢ給電端子１６は、発電部が発電した電力を用いて、ＤＣ５Ｖの電力を出力する出力端子である。
【００３４】
ライト１７は、発電部が発電した電力を用いて、発光するライトであり、例えば、ＬＥＤライトや有機ＥＬライトにより構成することができる。
【００３５】
ライトボタン１８は、ライト１７のＯＮ／ＯＦＦを切り替える押しボタン式のスイッチである。
【００３６】
第２実施形態の棚１−２は、上述の構成を備えることにより、内部に貯蔵している水を利用して、非常時に発電を行うことができる。内部に貯蔵している水の他に発電に必要なマグネシウム棒及び塩については、例えば、棚板部１０の一部に載せて常時保管する等するとよい。
また、発電を行うと、水酸化マグネシウム等の残留物が棚１−２の内部に残留することになるが、これは、例えば、接続部（上接続部３１、下接続部３２、横接続部３３）に高圧水源を接続して、高圧の水を圧送する等して除去することができる。この際、圧力計１３を有効に利用可能である。
【００３７】
以上説明したように、第２実施形態によれば、棚１−２は、内部に貯蔵されている水を利用した発電部を備えるので、非常時において、内部に貯蔵されている水の利用価値をさらに高めることができる。そして、第２実施形態の棚１−２は、貯蔵された水を第１実施形態のように生活用水や飲料水として利用してもよいし、発電用に利用してもよい。したがって、第２実施形態の棚１−２は、被災時の状況によって自由度の高い利用が可能であり、被災時に非常に有効な防災機器として機能することができる。
【００３８】
（変形形態）
以上説明した実施形態に限定されることなく、種々の変形や変更が可能であって、それらも本発明の範囲内である。
【００３９】
（１）実施形態において、棚板部１０と柱部２０とに水密空間を構成した例を挙げて説明した。これに限らず、例えば、棚１の側面や背面に壁部を設け、この壁部の内部に、第１空間部１１及び第２空間部２１と連通する空間を第３空間部として設けてもよい。これにより、さらに貯水可能な水量を増やすことができる。
【００４０】
（２）実施形態において、棚１は、その内部に水を貯水する例を挙げて説明した。これに限らず、例えば、棚の内部には、灯油等の燃料を貯蔵するようにしてもよいし、その他、必要に応じて貯蔵する液体を変更可能である。
【００４１】
（３）実施形態において、温度計や圧力計をセンサとして設けている例を挙げて説明した。これに限らず、例えば、水質を検出する水質センサを設けてもよく、必要に応じて他のセンサを設けてもよい。
【００４２】
（４）第２実施形態において、発電部で発電された電力を外部へ出力する形態として、コンセント１５と、ＵＳＢ給電端子１６とを設けている例を挙げて説明した。これに限らず、例えば、電力出力用の端子の形態は、所謂ジャック形態等、従来公知の他の形態の電源コネクタの端子形状となっていてもよい。
【００４３】
なお、実施形態及び変形形態は、適宜組み合わせて用いることもできるが、詳細な説明は省略する。また、本発明は以上説明した各実施形態によって限定されることはない。
【符号の説明】
【００４４】
１      棚
１０    棚板部
１１    第１空間部
１２    温度計
１３    圧力計
１４    液量確認窓
２０    柱部
２０ａ  連通孔
２１    第２空間部
２２    液量確認窓
３１    上接続部
３２    下接続部
３３    横接続部
３５    蓋
３６    Ｏリング
３７    接手
３８    脚部
【図１】
2020130602.tif 000003
【図２】
2020130602.tif 000004
【図３】
2020130602.tif 000005
【図４】
2020130602.tif 000006
【図５】
2020130602.tif 000007